(57)【要約】【課題】操作ボタンを押圧操作する際のボタンの傾きを抑制することで異音が低減されるため、品位の良いスイッチ構成を提供することができる。【解決手段】操作ボタンの外観面がボタンストローク方向と直交していない押圧式スイッチ装置において、前記操作ボタンを保持する保持部を有する固定部材と、前記固定部材に対して押圧操作可能に組み付けられる操作ボタンと、前記操作ボタンは、前記保持部に保持される係合部と、前記操作ボタンと前記係合部とを接続する支持アームとを有しており、前記固定部材との間に前記係合部、前記操作ボタン、及び前記支持アームを保持した状態で前記固定部材に固定される受け部材を備えており、前記操作ボタンにはボタン外径より大きいフランジ部を備えており、前記フランジ部にはフランジ面より一段高い凸部を設けられており、前記操作ボタンが前記固定部材に固定される際に、前記凸部は前記固定部材の前記凸部に対向する面に当接するように配置されていることを特徴とする。【選択図】図１
2017103167.tif 000002
【特許請求の範囲】
【請求項１】
操作ボタン（２Ａ）の外観面がボタンストローク方向と直交していない押圧式スイッチ装置において、
前記操作ボタン（２Ａ）を保持する保持部（１ｄ）を有する固定部材（１）と、
前記固定部材（１）に対して押圧操作可能に組み付けられる操作ボタン（２Ａ）と、
前記操作ボタン（２Ａ）は、前記保持部（１ｄ）に保持される係合部（２ｃ）と、
前記操作ボタン（２Ａ）と前記係合部（２ｃ）とを接続する支持アーム（２ｇ）とを有しており、
前記固定部材（１）との間に前記係合部（２ｃ）、前記操作ボタン（２Ａ）、及び前記支持アーム（２ｇ）を保持した状態で前記固定部材（１）に固定される受け部材（４）を備えており、
前記操作ボタン（２Ａ）にはボタン外径より大きいフランジ部（２ｈ）を備えており、
前記フランジ部（２ｈ）にはフランジ面より一段高い凸部（２ｊ）を設けられており、
前記操作ボタン（２Ａ）が前記固定部材（１）に固定される際に、
前記凸部（２ｊ）は前記固定部材（１）の前記凸部（２ｊ）に対向する面に当接するように配置されていることを特徴とする押圧式スイッチ装置。
【請求項２】
前記フランジ凸部（２ｊ）は前記フランジ部（２ｈ）の全域に配置されていないことを特徴とする請求項１に記載の押圧式スイッチ装置。
【請求項３】
前記フランジ凸部（２ｊ）は前記操作ボタン（２Ａ）の中心に対して前記操作ボタン（２Ａ）の外観面が突出している側（２ｘ）の領域に配置していることを特徴とする請求項１に記載の押圧式スイッチ装置。
【請求項４】
前記フランジ凸部（２ｊ）を一箇所備えていることを特徴とする請求項２又は請求項３に記載の押圧式スイッチ装置。
【請求項５】
前記フランジ凸部（２ｊ）を複数箇所備えていることを特徴とする請求項２又は請求項３に記載の押圧式スイッチ装置。
【請求項６】
前記固定部材（１）は、電子機器の外装カバー（１）であることを特徴とする請求項１乃至請求項５の何れか一項に記載の押圧式スイッチ装置。
【発明の詳細な説明】
【技術分野】
【０００１】
本発明は、例えばデジタルカメラやデジタルビデオカメラ等の電子機器に設けられる押圧式スイッチ装置、及び押圧式スイッチ装置を備える電子機器に関する。
【背景技術】
【０００２】
従来、操作ボタンを固定する固定部材、操作ボタンを受ける受け部材を備え、固定部材に当接した状態で係合する係合部と、操作ボタンと係合部を接続する支持アームに受け部材と当接する凸部が設けられた操作ボタンユニットが提案されている。
【０００３】
特許文献１では、操作ボタンが固定部材に固定される際に、係合部と凸部の間の支持アーム部を弾性変形させることで、操作ボタンを押圧操作する際のがたつきを低減することができるとしている。
【先行技術文献】
【特許文献】
【０００４】
【特許文献１】特開２０１３−１８２６６５号公報
【発明の概要】
【発明が解決しようとする課題】
【０００５】
しかしながら、上述の特許文献１に開示された従来技術では、操作ボタンのフランジ上部に空間を持たせているため、例えばキートップ形状によってボタンが斜めに押しこまれた場合、操作ボタンに傾きが発生する。
【０００６】
操作ボタンに傾きが発生した場合、支持アーム部がひねられた状態となることで、支持アーム部には操作ボタンが元の位置に戻ろうとする反発力が発生する。
【０００７】
この状態でボタンから指を離すと、前記反発力によって操作ボタン側壁が隣接する開口部と勢いよく当たることで異音が生じる。
【０００８】
そこで、本発明の目的は、押圧式スイッチ装置の操作ボタンを押圧操作する際に生じる異音を低減することを可能にした押圧式スイッチ装置を提供することにある。
【課題を解決するための手段】
【０００９】
上記の目的を達成するために、本発明に係る押圧式スイッチ装置は、
操作ボタンの外観面がボタンストローク方向と直交していない押圧式スイッチ装置において、
前記操作ボタンを保持する保持部を有する固定部材と、
前記固定部材に対して押圧操作可能に組み付けられる操作ボタンと、
前記操作ボタンは、前記保持部に保持される係合部と、
前記操作ボタンと前記係合部とを接続する支持アームとを有しており、
前記固定部材との間に前記係合部、前記操作ボタン、及び前記支持アームを保持した状態で前記固定部材に固定される受け部材を備えており、
前記操作ボタンにはボタン外径より大きいフランジ部を備えており、
前記フランジ部にはフランジ面より一段高い凸部を設けられており、
前記操作ボタンが前記固定部材に固定される際に、
前記凸部は前記固定部材の前記凸部に対向する面に当接するように配置されている
ことを特徴とする。
【発明の効果】
【００１０】
本発明によれば、操作ボタンを押圧操作する際のボタンの傾きを抑制することで異音が低減されるため、品位の良いスイッチ構成を提供することができる。
【図面の簡単な説明】
【００１１】
【図１】本発明の電子機器の実施形態の一例であるデジタルカメラに取り付けられる押圧式スイッチ装置の分解斜視図である。
【図２】図１を背面側から見た押圧式スイッチ装置の分解斜視図である。
【図３】操作ボタンユニットの斜視図である。
【図４】図３に示す操作ボタンユニットを背面側から見た斜視図である。
【図５】外装カバーに操作ボタンユニット及び受け部材を組む込んだ状態を示す図である。
【図６】図５のＡ−Ａ線断面図である。
【図７】図５のＢ−Ｂ線断面図である。
【図８】本実施形態の特徴的な構成である凸部の配置領域を示した図である。
【発明を実施するための形態】
【００１２】
以下に、本発明の好ましい実施の形態を、添付の図面に基づいて詳細に説明する。
【００１３】
図１は本発明の電子機器の実施形態の一例であるデジタルカメラに取り付けられる押圧式スイッチ装置の分解斜視図、図２は図１を背面側から見た押圧式スイッチ装置の分解斜視図である。
【００１４】
図１及び図２に示すように、本実施形態の押圧式スイッチ装置は、デジタルカメラのカメラ本体の外装カバー１に取り付けられる。ここで、外装カバー１は、本発明の固定部材の一例に相当する。
【００１５】
外装カバー１は、本実施形態では、樹脂成形品とされている。外装カバー１には、２つの開口部１ａが形成され、各開口部１ａには、それぞれ樹脂等で一体成形された操作ボタンユニット２を構成する２つの操作ボタン２Ａの各キートップ２ａが押圧操作可能に組み付けられる。
【００１６】
なお、昨今のデジタルカメラに対する要求項目として、デジタルカメラの小型化および液晶表示部の大型化があげられている。
【００１７】
これら要望に応えるために、操作ボタン２Ａがデジタルカメラの端部領域に配置されることがある。この場合、外観デザインによっては、操作ボタン２Ａのキートップ２ａおよびその周辺の外装カバー１の形状が斜面になる状況が発生する。本実施形態においても、操作ボタン２Ａは外装カバー１の端部に配置されており、操作ボタンのキートップ２ａの形状が斜面となっている。このため、キートップ２ａには、キートップ２ａが突出している側２ｘとキートップが突出していない側２ｙが存在する。
【００１８】
なお、操作ボタンのストローク方向は、外装カバー１における操作ボタン２Ａの開口部１ａを形成するための型構造を簡略化するために、図１の紙面に対して垂直方向となっているため、操作ボタンの外観面が操作ボタンストローク方向と直交していない。
【００１９】
フレキシブルプリント基板３には、タクトスイッチ３ａが操作ボタン２Ａの押し軸２ｂに対向して実装されている。フレキシブルプリント基板３は、樹脂製の受け部材４に両面テープ６を介して固定されている。操作ボタン２Ａのキートップ２ａを押圧操作すると、押し軸２ｂによりメタルドーム３ａが押され、これにより、メタルドーム３ａから検知信号が不図示のスイッチ信号処理回路に出力されて、所定の信号処理が行われる。
【００２０】
受け部材４には、位置決め用の穴部４ａ及び切欠き部４ｂが形成されており、穴部４ａ及び切欠き部４ｂは、それぞれ外装カバー１に形成されたボス１ｂ及び１ｃにそれぞれ嵌め込まれる。また、受け部材４の穴部４ａ及び切欠き部４ｂの近傍には、それぞれねじ挿通穴４ｃが外装カバー１に形成されたねじ穴１ｅに対応して形成されている。
【００２１】
受け部材４の穴部４ａ及び切欠き部４ｂを外装カバー１のボス１ｂ及び１ｃにそれぞれ嵌め込むことで、外装カバー１に対して受け部材４が位置決めされる。この状態で、受け部材４のねじ挿通穴４ｃに挿入したねじ５を外装カバー１のねじ穴１ｅにねじ込むことで、受け部材４が外装カバー１との間に操作ボタンユニット２を保持した状態で外装カバー１に固定される。
【００２２】
図３は操作ボタンユニット２の斜視図、図４は図３に示す操作ボタンユニット２を背面側から見た斜視図、図５は外装カバー１に操作ボタンユニット２及び受け部材４を組み込んだ状態を示す図である。
【００２３】
図３及び図４に示すように、操作ボタンユニット２の２つの操作ボタン２Ａは支持アーム２ｇによって接続されており、支持アーム２ｇの中央部には、係合部２ｃが設けられている。本実施形態では、係合部２ｃを基点として、複数の方向（本実施形態では、３方向）に支持アーム２ｇが延設され、そのうちの２方向に延設された支持アーム２ｇがそれぞれ２つの操作ボタン２Ａに接続されている。
【００２４】
係合部２ｃは、円柱部２ｆと、円柱部２ｆの中央部に突設された係合軸部２ｅとを有する。そして、係合部２ｃは、図５に示すように、外装カバー１に形成された保持部１ｄに対し、係合軸部２ｅが３方向に挟まれた状態で係合して、円柱部２ｆがキートップ２ａの押圧操作方向と逆方向に当接した状態で保持される。
【００２５】
図４に示すように、係合部２ｃから３方向に延設される支持アーム２ｇには、それぞれフレキシブルプリント基板３を介して受け部材４に当接する半球形状の凸部２ｄが設けられている。また、係合部２ｃから３方向に延設される支持アーム２ｇにそれぞれ設けられた凸部２ｄと係合部２ｃとの間の長さは、同一長さとされている。ここで、操作ボタン２Ａに接続される２つの支持アーム２ｇにおいては、係合部２ｃから凸部２ｄまでの長さより凸部２ｄから操作ボタン２Ａまでの長さが長くなっている。これにより、操作ボタン２Ａのキートップ２ａを押圧操作した際に、支持アーム２ｇが十分に弾性変形するようにしている。
【００２６】
操作ボタン２Ａの根元には、操作ボタン２Ａの外形より一回り大きいフランジ部２ｈが設けられており、これらに対向する外装カバー１にはフランジ対向面１ｆが設けてある。このフランジ部２ｈは操作ボタン２Ａが外観に突出しないよう抜け止めとして機能を果たしているほか、開口部１ａの隙間から内部部品が見えたり、埃や水滴がカメラ内部に侵入しないように保護する役目を果たしている。なお、本実施形態に示すフランジ部２ｈは円形としているが、特に円形に限定せず異形であっても勿論問題はない。
【００２７】
さらに、フランジ部２ｈには本実施形態の特徴的な構成を示すフランジより一段高いフランジ凸部２ｊを設けている。フランジ凸部２ｊに関する詳細については後述する。
【００２８】
図６は図５のＡ−Ａ線断面図である。
【００２９】
図６に示すように、外装カバー１に操作ボタンユニット２及び受け部材４を組み込んだ状態では、上述したように、外装カバー１の保持部１ｄに対し、係合部２ｃの円柱部２ｆが操作ボタン２Ａのキートップ２ａの押圧操作方向と逆方向に当接している。また、凸部２ｄは、受け部材４上のフレキシブルプリント基板３に対し、操作ボタン２Ａのキートップ２ａの押圧操作方向と同一方向に当接している。このとき、係合部２ｃから３方向に延設される支持アーム２ｇにおいて、係合部２ｃと凸部２ｄとの間の部分が操作ボタン２Ａのキートップ２ａの押圧操作方向と逆方向に湾曲して弾性変形している。
【００３０】
このため、樹脂成形品である操作ボタンユニット２における寸法誤差や凸部２ｄがフレキシブルプリント基板３を介して当接する受け部材４の取付位置の寸法誤差等は、支持アーム２ｇの係合部２ｃと凸部２ｄとの間の部分が弾性変形することで吸収される。従って、凸部２ｄがフレキシブルプリント基板３から離れてしまうことがなく、３つの凸部２ｄとフレキシブルプリント基板３との当接状態を確実に維持することができる。
【００３１】
また、支持アーム２ｇの係合部２ｃと凸部２ｄとの間の部分が弾性変形した際の反発力は、係合部２ｃの円柱部２ｆを保持部１ｄの当接面に押し付ける方向、及び凸部２ｄをフレキシブルプリント基板３の当接面に押し付ける方向に付勢する。
【００３２】
このため、操作ボタン２Ａのキートップ２ａを押圧操作して凸部２ｄと操作ボタン２Ａとの間の支持アーム２ｇが弾性変形しても、その動きが係合部２ｃに伝わらないようになっている。この結果、２つの操作ボタン２Ａのキートップ２ａの一方を押圧操作しても、係合部２ｃ、及び他方のキートップ２ａが凸部２ｄと操作ボタン２Ａとの間の支持アーム２ｇの動きに連動して動くことはない。
【００３３】
また、上述したように、係合部２ｃから３方向に延設される支持アーム２ｇにそれぞれ設けられた凸部２ｄと係合部２ｃとの間の距離は同一とされている。
【００３４】
このため、保持部１ｄに対して係合部２ｃの円柱部２ｆが均等に押し付けられて、係合部２ｃが傾かないようになっている。
【００３５】
ここで、フランジ部２ｈに設けたフランジ凸部２ｊについて図７を使用して説明する。
【００３６】
図７は図５のＡ−Ａ線断面図であり、本実施形態における効果を示した図である。
【００３７】
上述したように、本実施形態における操作ボタンおよび周辺の外観形状は斜面となっており、キートップ２ａには、キートップ２ａが突出している側２ｘとキートップが突出していない側２ｙが存在する。
【００３８】
操作ボタン２Ａのストローク方向は、図に示す方向となっており、操作ボタンの外観面が操作ボタンストローク方向と直交していない。
【００３９】
ここで、キートップ２ａと開口部１ａの隙間について、キートップ２ａが突出している側２ｘの隙間を７ｘ、キートップ２ａが突出していない側２ｙの隙間を７ｙとする。
【００４０】
ユーザがカメラ本体を把持した状態で操作ボタン２Ａの押圧操作を行う場合、図に示すように、キートップが突出している側２ｘからキートップが突出していない側２ｙの方向に力が働きやすい。
【００４１】
従来構成の場合、操作ボタン２Ａは押し軸２ｂとメタルドーム３ａが当接した状態であるため、当接部を支点として操作ボタンはキートップが突出していない側２ｙに傾く、つまり、隙間７ｙが狭くなり、隙間７ｘが広がる状態となる。この状態では、上述した支持アーム２ｇがひねられた状態となることで、支持アーム２ｇには、操作ボタンが元の位置に戻ろうとする反発力が発生する。その後押圧操作が終わりキートップから指が離れると、隙間７ｘが狭くなる方向にキートップが戻ろうとするため、やがて隙間７ｘが０となったとき、操作ボタン２Ａが隣接する開口部１ａに勢いよく当たることで異音が生じる。
【００４２】
本実施形態の場合、フランジ部２ｈにフランジ凸部２ｊを設けており、さらにフランジ凸部２ｊがフランジ対向面１ｆと接しているため、キートップの傾きを抑制することが可能となる。これにより、ユーザが押圧操作した際に、キートップ２ａが突出している側２ｘからキートップ２ａが突出していない側２ｙの方向に力が働いた場合においても、フランジ凸部２ｊとフランジ対向面１ｆが突っ張ることで操作ボタン２Ａの傾きを抑えることができる。つまりこの状態で支持アーム２ｇによる反発力は発生していないため、上述したような異音は低減される。
【００４３】
なお、図８に示すように、フランジ凸部２ｊは図に示す斜線領域に対応しており、フランジ２ｈの一部に限定して配置している。
【００４４】
その理由について以下に説明する。
【００４５】
フランジ２ｈ全域をフランジ受け面１ｆに当接させた場合、操作ボタン２Ａが押し軸２ｂとフランジ凸部２ｊで挟まれた状態となる。この場合、部品の仕上がり寸法によっては、押し軸２ｂがメタルドーム３ａを押し気味状態となり操作感に影響を与えてしまう。
【００４６】
この問題を回避するために本実施形態では、フランジ凸部２ｊの配置領域を図に示す斜線領域に限定しており、押し軸２ｂの直径より外周側で、かつ、キートップが突出している側２ｘに配置している。これにより、万が一フランジ凸部２ｊを高くしすぎた場合でも、フランジ凸部２ｊを設置していない側のフランジ２ｈとフランジ対向面１ｆとの間に空間が設けられるので、押し軸２ｂがメタルドーム３ａを押し気味状態にならず、操作感に影響を及ぼすことはない。また、前記斜線で示した配置領域の中であれば、フランジ凸部２ｊの占める面積や、フランジ凸部２ｊを複数個所に分散配置させた場合においても、本実施形態と同様の効果が得られる。
【００４７】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４８】
１  外装カバー／固定部、２  操作ボタンユニット、２Ａ  操作ボタン、
２ａ  キートップ、２ｃ  係合部、２ｇ  支持アーム、２ｈ  フランジ部、
２ｊ  フランジ凸部、２ｘ  外観面が突出している側、
２ｙ  外観面が突出していない側、４  受け部材
【図１】
2017103167.tif 000003
【図２】
2017103167.tif 000004
【図３】
2017103167.tif 000005
【図４】
2017103167.tif 000006
【図５】
2017103167.tif 000007
【図６】
2017103167.tif 000008
【図７】
2017103167.tif 000009
【図８】
2017103167.tif 000010